(57)【特許請求の範囲】
【請求項１】
食品を収納する貯蔵室と、この貯蔵室内に設けられた冷却器と、前記冷却器の下部に設けられ、上方を開口してドレン水を受容するドレン受容部材とを備えた冷却庫において、前記ドレン受容部材は、断面形状がＣ形の形状をした下部と、この下部の前上部から斜め前上方に延在する前延在部と、下部の後上部からまず後方へ延在し次いで略上方に延在する後延在部とを有し、前延在部と後延在部の一部を切除して形成された連通部とを備え、連通部にドレンソケットを連通接続したことを特徴とする冷却庫。
【請求項２】
前記受容部材は樹脂製のものであって、前記冷却器より前方に前記受容部が位置することを特徴とする請求項１の冷却庫。
【発明の詳細な説明】
【０００１】
【発明の属する技術分野】
本発明は、貯蔵室内にドレン受容部材を有する冷却庫に関するものである。
【０００２】
【従来の技術】
従来よりこの種の冷却庫においては、貯蔵室内に冷却器を設置して内部を冷却しているが、この冷却器には霜や露が付着成長するため、これら霜の融解水或いは露さらには貯蔵室内の結露水等のドレン水を外部に廃棄する必要がある。そのため、冷却器下方にはドレンパン（ドレン受容部材）を設置し、このドレンパン（ドレン受容部材）にてドレン水を受容し、排水ホースを介して外部に廃棄していた。
【０００３】
この種ドレンパン（ドレン受容部材）を貯蔵室内に配設して成る第１の従来例としての冷却庫は、例えば図６に示される如く（ガラス扉、機械室等を除いて図示する）、ドレンパン（ドレン受容部材）は、上面が開口しているドレン皿１０１と、ドレンパイプ１０２とからなっており、ドレン皿１０１はアルミ板を折り曲げて形成されている。このドレン皿１０１の側面には、ドレンパイプ１０２を取り付ける為の孔が穿設され、ドレンパイプ１０２がその端部をドレン皿１０１の孔に挿入した状態で、溶接されている。そして、このドレンパイプ１０２に図示しない排水ホースが接続されてドレン水が貯蔵室外に廃棄される。
【０００４】
また、第２の従来例としての冷却庫は、特開平１０−２２０９５５号公報に示される如く、ドレンパン（ドレン受容部材）は、冷却器の下方に配置され冷却器から落下するドレン水を受け入れる露受け部と、一端部がこの露受け部の側壁に接続され他端が露受け部の側方へ突出しているドレン樋とを具備している。そして、ドレン樋と露受け部とが一体構造で、かつ、ドレン樋の底壁の上面と、露受け部の底壁の上面とが、略同じ高さで接続されているものがある。
【０００５】
【発明が解決しようとする課題】
ところで、前記第１の従来例では、ドレンパイプ１０２は断面円形のパイプで構成されており、ドレン皿１０１の孔に円周状に溶接する必要があり、溶接作業に熟練を要するものであり、この溶接作業が不完全である場合には、溶接部から水漏れを起こすこともあり、そのため、コストの高いドレン受容部材となる問題があった。
【０００６】
また、第２の従来例では、前記第１の従来例に比較して、部品点数が少なく、溶接作業に熟練を要さずにドレンパン（ドレン受容部材）を製造できるものの、１枚の金属板から製作しているので、板金加工や溶接または半田付け等の接合加工を必要とし、その結果コストが高いという問題点が依然として残っていた。
【０００７】
また、これらのドレンパン（ドレン水受容部材）は金属製であるため、ビール等の商品が冷却器やドレンパン（ドレン水受容部材）に直接接触すると凍ってしまうことがあり、商品と冷却器やドレンパン（ドレン水受容部材）とを離間させるためのガードが必要であった。
【０００８】
本発明は上記の問題に鑑み成されたもので、部品点数を減少させ、コストの安いドレンパン（ドレン受容部材）を提供することにより安価な冷却庫を提供し、ビール等の商品が凍らないことを目的とする。
【０００９】
【課題を解決するための手段】
この発明の請求項１の冷却庫は、食品を収納する貯蔵室と、この貯蔵室内に設けられた冷却器と、前記冷却器の下部に設けられ、上方を開口してドレン水を受容するドレン受容部材とを備えた冷却庫において、前記ドレン受容部材は、断面形状がＣ形の形状をした下部と、この下部の前上部から斜め前上方に延在する前延在部と、下部の後上部からまず後方へ延在し次いで略上方に延在する後延在部とを有し、前延在部と後延在部の一部を切除して形成された連通部とを備え、連通部にドレンソケットを連通接続したものである。
【００１０】
請求項１の発明によれば、ドレン水を円滑に処理することができるようになると共に、一定断面形状に成型された部材から製作しているため、溶接作業等に熟練を必要とせず、単に切断及び穿設加工のみによりドレン受容部材を製作できるので、部品点数が削減され、コストが安いドレン受容部材を提供できる。
【００１１】
この発明の請求項２の冷却庫は、請求項１の冷却庫において、前記受容部材は樹脂製のものであって、前記冷却器より前方に前記受容部が位置するものであるから、ビール等の商品が直接冷却器には接触せず熱伝導性の低いドレン受容部材と接触するため、熱を奪われ難い。従って、中味が凍ることがなく、商品価値を低下させることがない。
【００１２】
【発明の実施の形態】
次に、図面に基づき本発明の実施の形態を詳述する。図１は本発明の冷却庫の要部正面図、図２は冷却庫の左側面図、図３は図１の断面Ａ−Ａにおける縦断側面図、図４はドレン受容部材とドレンソケットとを示す要部斜視図、図５はドレン受容部材とドレンソケットとを接合した状態を示す要部斜視図である。
【００１３】
図１乃至図３の冷却庫Ｒは、例えばホテルやレストランの厨房や店内に設置されるアンダーカウンター型の業務用冷蔵庫であり、断熱材にて形成され、前面に開口した横長の断熱箱体１０と、該断熱箱体１０内に形成された貯蔵室９とを備え、この貯蔵室９の前面開口は引き戸式のガラス扉１１、１１によって開閉自在に閉塞されている。断熱箱体１０の向かって左側には、圧縮機３１やワイヤアンドチューブ型の凝縮器２１などが設置された機械室１２が構成されており、この断熱箱体１０から機械室１２に渡る天部（天面上）にはトップテーブル２３が取り付けられている。
【００１４】
貯蔵室９内の上背部にはロールボンド冷却器１が設けられている。この冷却器１は二枚のアルミニウム板の所定蛇行形状の冷媒通路部分を除き、両者を張り合わせ、その後前記冷媒通路部分を膨出させることによってアルミニウム板間に冷媒通路を形成した板状の冷却器であり、貯蔵室９の天面から後面に向けて低く傾斜するように配置された傾斜部１ｂと、この傾斜部１ｂの後端から垂下する垂下部１ｃとから成るものである。また、冷却器１の前方には、冷却器１とビール等の商品Ｖとが直接接触して凍らないようにするためのガード３０が取付けられている。
【００１５】
冷却器１は貯蔵室９の左右略全幅に渡っており、前記冷媒通路が冷却器１に形成されている。この冷却器１の下方に配設されているドレン受容部材１８は向かって左方に向けて低く傾斜しており、前記冷媒通路には図示しない冷媒出入口管が接続され、前記圧縮機３１及び凝縮器２１などと共に周知の冷媒回路を構成する。
【００１６】
ドレン受容部材１８は次のように製作する。ドレン受容部材１８は、まず、塩化ビニル樹脂やＡＢＳ樹脂またはアルミニウム等の材料を押出し加工または引抜き加工により一定の断面形状で成型し、その後、この部材を冷却器１の左右全幅の長さより少許長く切断する。ここで、断面形状は、図４に示す如く、Ｃ形の形状をした下部１９と、この下部１９の前上部から斜め前上方に延在する前延在部２０と、Ｃ形の形状をした下部１９の後上部からまず後方へ延在し次いで略上方に延在する後延在部２２とを有しているものである。そして、この部材の一端（図４では左端）の前延在部２０と後延在部２２の一部を各１箇所切除し、連通部２７とする。その後、後延在部２２の両端部に、断熱箱体１０の背部の貯蔵室側面３５に固定するための取付孔２４を複数個穿設加工する。尚、前記ドレン受容部材１８のＣ形の形状をした下部１９は、ドレンソケット１５の内径と略合致する寸法としてある。また、ドレン受容部材１８の下部１９の前部から斜め前上方に延在する前延在部２０、Ｃ形の形状をした下部１９及び後延在部２２は全体としてドレン水を受容する受容部２５を形成している。
【００１７】
そして、後延在部２２に形成された取付孔２４を用いて、このドレン受容部材１８を断熱箱体１０の背部の貯蔵室側面３５に螺子により固定する。尚、このドレン受容部材１８の右端部は、図示しない閉塞部材により閉塞することにより、その端部から貯蔵室９内にドレン水が漏水、落下しないようにされている。
【００１８】
断熱箱体１０の左側壁にはドレンソケット１５が取り付けられ、機械室１２内に連通している。前記ドレン受容部材１８の左端の連通部２７はこのドレンソケット１５に連通接続されており、ドレンソケット１５は更に機械室１２内を垂下して断熱箱体１０の下側に引き出された排水ホース４に接続されている。
【００１９】
２６は、機械室１２の下部に固定された容器であり、ステンレス鋼板又は塗装された鋼板を折曲して形成されたもので、上面及び右側面が開口した有底の容器である。そして、右側面にはフランジ２６ｂが下方向に折曲形成され、このフランジ２６ｂを伝って、ドレン水が後述のドレン受皿３２に流れ込む。
【００２０】
貯蔵室９の底壁５には左前部に図示しない排水口が設けられ、この排水口に接続された排水ソケット２８が本体底面に固定されている。排水ソケット２８には排水トラップ２９が接続され、この排水トラップ２９は右方向に延在した後その先端は上方に開口してトラップを形成し、貯蔵室９への暖気の侵入又は貯蔵室９からの冷気の漏洩を防止している。
【００２１】
３２は、冷却庫Ｒのドレン水を受けるドレン受皿であり、貯蔵室９の下方に設けられている。そして、ドレン受皿３２を前方からスライド挿入すると、第１のドレン受皿支持板３３と第２のドレン受皿支持板３４とで支持されるため、本体底面と床との間の空間Ｄに前後方向に引出し自在になる。
【００２２】
以上の構成により、冷却庫Ｒにおいて発生するドレン水は以下のように処理される。
【００２３】
前記圧縮機３１が運転されると、圧縮機３１から吐出された高温高圧の冷媒は凝縮器２１にて凝縮され、図示しない減圧装置にて減圧された後、冷媒出入口管を経て冷却器１（前記冷媒通路）内に流入する。冷媒はそこで蒸発した後、圧縮機３１に帰還するが、このときの吸熱作用にて冷却器１は冷却作用を発揮する。この冷却器１にて冷却された冷気は自然循環にて貯蔵室９内を冷却する。
【００２４】
そして、冷却器１に付着成長した露などのドレン水は垂下部１ｃ表面を降下した後、落下してドレン受容部材１８に受容され、その傾斜によって左方に流下する。そして、連通部２７を流れ、ドレンソケット１５内を流れた後、排水ホース４に流入し、機械室１２内を流れた後、この排水ホース４の先端から容器２６に一旦受容される。さらに、容器２６の右側面のフランジ２６ｂを伝って、ドレン受皿３２へと流入する。
【００２５】
一方、ガラス扉１１、１１に結露した結露水は、このガラス扉１１、１１の下部の図示しないレール部を伝ってから貯蔵室９の底壁５の上面を流れ、排水口に到達する。同様に、貯蔵室９内の商品Ｖ等に付着した結露水等も、貯蔵室９の底壁５の上面を流れ、排水口に到達する。そして、これらのドレン水は排水口の真下に位置する排水ソケット２８内に入り、排水トラップ２９の先端からドレン受皿３２に流入する。
【００２６】
そして、このドレン受皿３２に受容されたドレン水は、前方に引き出して取り外し、中の残留水を捨てることにより処理することができる。
【００２７】
このように、ドレン受容部材１８のＣ形の形状をした下部１９は、ドレンソケット１５の内径と略合致する寸法としたことにより、ドレン受容部材１８内の連通部２７にドレンソケット１５を接合させて、容易に排水ホース４へ導く排水路を形成できると共に、冷却器１のドレン水を円滑に処理することができるようになる。また、ドレン受容部材１８の前延在部２０、Ｃ形の形状をした下部１９及び後延在部２２は全体としてドレン水を受容する受容部２５を形成しているので、ドレン水は漏れることがなく、また、ドレン受容部材１８は左方に低く傾斜しており下部１９が樋となって左方に円滑に流れるのでドレン水が溢れることもない。さらに、ドレン受容部材１８は一定断面形状に成型された樹脂等から製作されているため、溶接作業等に熟練を要さずに、単に切断及び穿設加工のみにより製作できるので、部品点数が削減され、コストが安いドレン受容部材１８を提供できる。
【００２８】
また、ドレン受容部材１８は、貯蔵室９外の左方に構成された機械室１２に向けて低く傾斜しているので、排水路を構成する排水ホース４を機械室１２内に設けて機械室１２側からドレン水を排水することができるようになる。
【００２９】
尚、この傾斜を大きくした場合には、ドレン受容部材１８の右端部から漏れることがなくなり、この右端部の閉塞を不要にすることもできるので、部品点数、製作工数を削減することが可能となり、いっそう安価な冷却庫Ｒを提供することができる。
【００３０】
以上の実施例においては、ドレン受容部材１８の材料としてアルミニウム等の金属材料を含めて説明したが、塩化ビニル樹脂やＡＢＳ樹脂等の熱伝導性の低い材料を使用して同様の構成とし、冷蔵用の冷却庫に用いた場合には、ドレン受容部材１８と商品Ｖとが接触しても中味が凍ることがなく、上記実施例において冷却器１の前方に設けていたガード３０を不要にすることができ、さらにコストの安い冷却庫Ｒを提供できる。
【００３１】
尚、これらの実施例ではロールボンド冷却器にて本発明を説明したが、それに限らず、チューブオンシート型などの他の板状冷却器にも本発明は有効である。
【００３２】
【発明の効果】
以上詳述した如く、請求項１の発明によれば、ドレン水を円滑に処理することができるようになると共に、一定断面形状に成型された部材から製作しているため、溶接作業等に熟練を必要とせず、単に切断及び穿設加工のみによりドレン受容部材を製作できるので、部品点数が削減され、コストが安いドレン受容部材を提供できる。
【００３３】
また、請求項２の発明によれば、前記受容部材は樹脂製のものであって、前記冷却器より前方に前記受容部が位置するものであるから、ビール等の商品が直接冷却器に接触せず熱伝導性の低いドレン受容部材と接触することになり、熱を奪われ難い。従って、中味が凍ることがなく、商品価値を低下させることがない。
【図面の簡単な説明】
【図１】本発明の冷却庫の要部正面図である。
【図２】冷却庫の左側面図である。
【図３】図１の断面Ａ−Ａにおける縦断側面図である。
【図４】ドレン受容部材とドレンソケットとを示す要部斜視図である。
【図５】ドレン受容部材とドレンソケットとを接合した状態を示す要部斜視図である。
【図６】ガラス扉、機械室等を除いて図示する従来の冷却庫の斜視図である。
【符号の説明】
Ｒ  冷却庫
１  冷却器
４  排水ホース
９  貯蔵室
１０  断熱箱体
１２  機械室
１５  ドレンソケット
１８  ドレン受容部材
１９  下部
２０  前延在部
２２  後延在部
２４  取付孔
２５  受容部
２７  連通部
３０  ガード
３２  ドレン受皿
【図１】
0004454095.tif 000002
【図２】
0004454095.tif 000003
【図３】
0004454095.tif 000004
【図４】
0004454095.tif 000005
【図５】
0004454095.tif 000006
【図６】
0004454095.tif 000007